(57)【特許請求の範囲】
【請求項１】
消臭成分及び／又は除菌成分と芳香成分を含むエタノール原液／噴射剤の比率が４０／６０〜１５／８５（容量比）であるエアゾール内容液をエアゾール噴射装置に充填してなるエアゾール剤において、このエアゾール噴射装置は、エアゾール内容液を空間に噴射する噴射ノズルと、エアゾール内容液を空間に蒸散させる吸液蒸散体を備えるとともに、エアゾール内容液を前記噴射ノズルに導く連通路と、前記吸液蒸散体に導く手段として連通路に孔を設け、更に前記吸液蒸散体のエタノール吸液量は０．２〜２．０ｇ／ｃｍ3で、かつ前記噴射ノズルの噴射口の断面積／前記手段に形成される導出口の総断面積の比率は０．１〜５．０であり、エアゾール内容液の空間噴射による即時効果とともに、吸液蒸散体からの蒸散による持続効果を併せ持つようになしたことを特徴とする消臭、除菌、芳香エアゾール剤。
【請求項２】
前記吸液蒸散体が、天然パルプを主原料とした乾式不織布で、表面材、中層及び裏面材の３層構造からなることを特徴とする請求項１に記載の消臭、除菌、芳香エアゾール剤。
【請求項３】
前記消臭成分が植物抽出成分であることを特徴とする請求項１又は２に記載の消臭、除菌、芳香エアゾール剤。
【請求項４】
前記除菌成分がテトラヒドロリナロールであることを特徴とする請求項１ないし３のいずれかに記載の消臭、除菌、芳香エアゾール剤。
【発明の詳細な説明】
【０００１】
【産業上の利用分野】
本発明は、消臭、除菌、芳香エアゾール剤の改良に関するものである。
【０００２】
【従来の技術】
従来より、屋内で様々なタイプの消臭、除菌、芳香剤が使用されている。例えば、主に台所、トイレや下駄箱などで、消臭成分及び／又は除菌成分と芳香成分を含むエアゾールが対象物に対して直接噴霧処理され、また、室内やトイレなどでは、芳香成分を必要ならば電気による熱やファンを用いて徐々に放散させるように設計した固形状、ゲル状あるいは液状の芳香剤が普及している。そして、前者にあっては即時効果を目的とし、一方、後者の場合長時間にわたる持続効果を目指したものであり、両者は別々の商品形態をとっている。
ところで、この即時的な消臭及び／又は除菌処理後、長時間にわたりゆっくりではあっても芳香成分を放散し続けたいという需要も多く、検討が試みられているが、両方の効果を併せ持つタイプの商品は未だ開発されていない。例えば、特開平１１−３２１９５１号公報には、空間へ噴射する噴射ノズルへの連通路と、吸液蒸散体への連通路がエアゾールボタン内もしくはこれに連接するキャップ内で分岐しているエアゾール噴射装置が記載されているものの、エアゾール内容液処方との関係について何ら言及されておらず、有用な消臭、除菌、芳香エアゾール剤を提供できるほどに開示されているとは言いがたい。
【０００３】
【発明が解決しようとする課題】
本発明は、即時的な消臭及び／又は除菌処理後、長時間にわたり芳香成分の蒸散を持続しえる消臭、除菌、芳香エアゾール剤を提供することを目的とする。
【０００４】
【課題を解決するための手段及び発明の実施の形態】
上記課題を解決するため、本発明者らは、特開平１１−３２１９５１号公報の技術内容を参考にするとともに、更にエアゾール内容液の処方とエアゾール噴射装置の仕様との組み合わせを種々検討することによって、目的の消臭、除菌、芳香エアゾール剤が得られることを知見し、本発明を完成した。
【０００５】
すなわち請求項１の発明は、消臭成分及び／又は除菌成分と芳香成分を含むエタノール原液／噴射剤の比率が４０／６０〜１５／８５（容量比）であるエアゾール内容液をエアゾール噴射装置に充填してなるエアゾール剤において、このエアゾール噴射装置は、エアゾール内容液を空間に噴射する噴射ノズルと、エアゾール内容液を空間に蒸散させる吸液蒸散体を備えるとともに、エアゾール内容液を前記噴射ノズルに導く連通路と、前記吸液蒸散体に導く手段として連通路に孔を設け、更に前記吸液蒸散体のエタノール吸液量は０．２〜２．０ｇ／ｃｍ3で、かつ前記噴射ノズルの噴射口の断面積／前記手段に形成される導出口の総断面積の比率は０．１〜５．０であり、エアゾール内容液の空間噴射による即時効果とともに、吸液蒸散体からの蒸散による持続効果を併せ持つようになしたことを特徴とする消臭、除菌、芳香エアゾール剤に関するものである。
【０００６】
本発明で用いられる消臭成分及び／又は除菌成分と芳香成分としては、例えば以下のものが例示されるがこれらに限定されるものではない。
▲１▼消臭成分：カキノキ、アジサイ、緑茶などの植物抽出液、あるいはベタイン系等の両性界面活性剤系消臭成分、
▲２▼除菌成分：テトラヒドロリナロール、ヒノキチオール、
▲３▼芳香成分：ラベンダー、ハーブ、ライム油、オレンジオイルなどの香料成分、“緑の香り”と呼ばれる青葉アルコールや青葉アルデヒド配合の香料成分。
これらの成分は、用途、使用目的に応じて適宜選択され、通常エアゾール全量に対して、０．１〜５．０容量％の範囲で配合される。
【０００７】
本発明では、上記消臭成分及び／又は除菌成分と芳香成分の溶剤として、エタノールが用いられ、また噴射剤としては、液化石油ガス、ＤＭＥ、圧縮ガスなどが使用される。そして、このエタノール原液と噴射剤の比率は、後述するエアゾール噴射装置の仕様との組み合わせを考慮して、４０／６０〜１５／８５（容量比）に特定される。すなわち、本発明は、エアゾール内容液を、噴射ノズルと吸液蒸散体へバランスよく分配することに特徴を有するのであり、例えば噴射剤の比率が６０容量％より小さいと空間噴霧粒子の拡散効果が弱くなるばかりか、吸液蒸散体への含浸性も劣り、一方、従来の消臭エアゾール剤のように、噴射剤の比率を８５容量％より多くすると、吸液蒸散体へ分配されるエアゾール内容液が少なくなり所望の持続効果が得られない。
【０００８】
本発明で用いられるエアゾール噴射装置は、エアゾールボタン内もしくはこれに連接するキャップ内に、エアゾール内容液を空間に噴射する噴射ノズルと、エアゾール内容液を空間に蒸散させる吸液蒸散体を備えるとともに、エアゾール内容液を前記噴射ノズルに導く連通路と、前記吸液蒸散体に導く手段を有しており、更に前記吸液蒸散体のエタノール吸液量が０．２〜２．０ｇ／ｃｍ3で、かつ前記噴射ノズルの噴射口の断面積／前記手段に形成される導出口の総断面積の比率を０．１〜５．０の範囲としたものである。
ここで、エアゾール内容液を吸液蒸散体に導く手段としては、吸液蒸散体の形状や設置位置などに基づいて種々設計可能であり、例えば噴射ノズルへの連通路から分岐路を分岐させてもよいし、あるいは前記連通路に導出口としての孔を設けてもよい。前者の場合、通常分岐路は１個であり、前記噴射ノズルの噴射口の断面積／前記手段に形成される導出口の総断面積の比率は、０．５〜５．０の範囲が好適である。一方、後者の場合、一般的に管状連通路の周囲に２〜４個の孔が穿設され、全ての孔の断面積を合計して吸液蒸散体への導出口の総断面積を算出するが、噴射ノズルの噴射口の断面積／前記手段に形成される導出口の総断面積の比率は、０．１〜２．０の範囲が好ましい。
【０００９】
エアゾール噴射装置の仕様ならびに機構を図を用いて説明する。図１は一実施例におけるダブルアクションアクチュエーターの側断面図である。ここに、１はエアゾール容器、２は容器１の上部に突出するノズルステム、３はノズルステムに嵌合されたエアゾールボタン、４は容器１の上部にかぶせたキャップ、５はエアゾール内容液の噴射ノズルへの連通路、６は噴射ノズル、７は噴射口、８は吸液蒸散体への分岐路、９は吸液蒸散体を示す。
【００１０】
図２は別の実施例におけるダブルアクションアクチュエーターの側断面図である。この実施例は、エアゾール内容液の吸液蒸散体への分配比率を幾分高めるため、吸液蒸散体９の形状をドーナツ状とし、噴射ノズル６を上面に設けるとともに、エアゾール内容液を吸液蒸散体９に導く導出口としての孔１０を噴射ノズルへの連通路５に２個設けたものである。
【００１１】
吸液蒸散体９としては、エタノール吸液量が０．２〜２．０ｇ／ｃｍ3である不織布、発泡体、人工皮革などの多孔質樹脂などが使用され、かなでも天然パルプを主原料とした乾式不織布で、表面材、中層及び裏面材の３層構造からなる吸液蒸散体が適している。なお、エタノール吸液量は、４０×２０×５ｍｍに裁断した吸液蒸散体を薬方紙上に載せてエタノールを滴下し、エタノールが吸液蒸散体下部の薬方紙上に溢れ出てきた時点で吸液重量を測定して求める。エタノール吸液量が０．２ｇ／ｃｍ3未満であると、当然のことながら吸液蒸散体への活性成分吸着量が少なく持続効果を期待できず、内容液が溢れて汚れを生じる場合があるし、一方、２．０ｇ／ｃｍ3より多いと内容液の吸液力が強すぎて活性成分が表面から蒸散しにくいケースが起こりうる。
【００１２】
使用にあたり、エアゾールボタン３を操作すると、エアゾール容器内の内容液がノズルステム２から噴射ノズルへの連通路５を経て噴射ノズル６の噴射口７に達し空間に噴射される。一方、残りの内容液は吸液蒸散体への分岐路８又は連通路５に設けられた導出口としての孔１０を経て吸液蒸散体９に一旦吸液され、徐々に空間に蒸散されていく。ここで、噴射ノズルの噴射口の断面積／吸液蒸散体への導出口の総断面積の比率は、０．１〜５．０の範囲に設定する必要があり、この範囲をはずれると、エアゾール内容液は噴射ノズルと吸液蒸散体へバランスよく分配されない。
また、エアゾール容器１を、図２で示すように蒸散孔１２を有するプラスチックカバー１１で被い、インテリア性を付与する構成としてもよい。
【００１３】
請求項２の発明は、請求項１の構成において、エアゾール内容液を吸液蒸散体に導く手段として、噴射ノズルへの連通路からの分岐路または前記連通路に導出口としての孔を設けたものである。
【００１４】
請求項３の発明は、請求項１又は２の構成において、天然パルプを主原料とした乾式不織布で、表面材、中層及び裏面材の３層構造からなる吸液蒸散体を使用したものである。
【００１５】
請求項４の発明は、請求項１ないし３のいずれかの構成において、消臭成分として植物抽出成分を用いたものである。
【００１６】
請求項５の発明は、請求項１ないし４のいずれかの構成において、除菌成分としてテトラヒドロリナロールを用いたものである。
【００１７】
こうして得られた本発明の消臭、除菌、芳香エアゾール剤は、噴射による即時効果とともに、吸液蒸散体からの蒸散によるゆっくりとした持続効果を併せ持つので、室内、台所、トイレ、下駄箱などでの使用に極めて実用的である。
【００１８】
【実施例】
つぎに具体的実施例ならびに試験例に基づいて、本発明の消臭、除菌、芳香エアゾール剤を更に詳細に説明する。
【００１９】
実施例１
緑茶抽出液３．０ｇ（エアゾール内容液全体量に対して、１．５Ｗ／Ｖ％）、ラベンダー系香料２．０ｇ（エアゾール内容液全体量に対して、１．０Ｗ／Ｖ％）をエタノール６０ｍＬに溶解した原液を２００ｍＬエアゾール容器１に入れ、該容器にバルブ部分を取付け、該バルブ部分を通じて、ジメチルエーテルと液化石油ガス混合噴射剤１４０ｍＬを加圧充填した後、図１のダブルアクションアクチュエーターを装填して本発明の消臭、除菌、芳香エアゾール剤を得た。
なお、吸液蒸散体９としては、天然パルプを主原料とした乾式不織布で、表面材、中層及び裏面材の３層構造からなるものを用い、エタノール吸液量は０．５５ｇ／ｃｍ3であった。また噴射口７の孔径は０．４ｍｍφ［断面積(Ａ)：０．１３ｍｍ2］、吸液蒸散体への分岐路８の導出口の孔径は０．３ｍｍφ［断面積(Ｂ)：０．０７ｍｍ2］で、Ａ／Ｂの比率は１．９であった。
かかる消臭、除菌、芳香エアゾール剤をトイレで使用したところ、即時の消臭効果が得られるとともに、その後２〜３時間にわたりラベンダーの香りが持続した。また、エアゾール剤の使用性についても問題はなかった。
【００２０】
カキノキ抽出液２．４ｇ（エアゾール内容液全体量に対して、１．２Ｗ／Ｖ％）、リラックスグリーン系香料（青葉アルコール、青葉アルデヒド配合）２．０ｇ（エアゾール内容液全体量に対して、１．０Ｗ／Ｖ％）をエタノール３６ｍＬに溶解した原液を２００ｍＬエアゾール容器１に入れ、該容器にバルブ部分を取付け、該バルブ部分を通じて、ジメチルエーテルと液化石油ガス混合噴射剤１６４ｍＬを加圧充填した後、図２及び図３のダブルアクションアクチュエーターを装填して本発明の消臭、除菌、芳香エアゾール剤を得た。
なお、吸液蒸散体９としては、実施例１と同材質で、エタノール吸液量が１．１ｇ／ｃｍ3のドーナツ状(外径：３０ｍｍ)のものを、噴射ノズルへの連通路５の周囲に設置し、プラスチックカバー１１の上面には計７個の蒸散孔１２を設けた。また、噴射口７の孔径は０．３ｍｍφ［断面積(Ａ)：０．０７ｍｍ2］、噴射ノズルへの連通路５に設けた２個の孔（導出口）１０の孔径は０．４ｍｍφ［総断面積(Ｂ)：０．１３ｍｍ2×２］で、Ａ／Ｂの比率は０．２７であった。
かかる消臭、除菌、芳香エアゾール剤をリビングで使用したところ、即時の消臭効果が得られるとともに、その後３〜４時間にわたり緑の香りによるリラックス効果が持続した。また、エアゾール剤は使いやすく実用的で、更に容器を被っているプラスチックカバー１１はインテリアにマッチした。
【００２１】
試験例
実施例１及び２に準じて、表１に示す各種消臭、除菌、芳香エアゾール剤を調製した（なお、表中、本発明品１〜３並びに比較例品は図１のタイプ、本発明品４〜５は図２のタイプに準じた）。これを、面積１０ｍ2、高さ２．５ｍの部屋の中央に置き、３秒間噴霧処理を行って即時の消臭効果、ならびに芳香の持続性を調べた。なお、持続性の評価は、３０分未満を×、３０分〜２時間を△、２時間以上を○で示した。
【００２２】
【表１】
0004035380.tif 000002
【００２３】
試験の結果、本発明の消臭、除菌、芳香エアゾール剤は、即時の消臭効果、ならびに芳香の持続性、ともにすぐれた。
これに対し、比較例で示すように、本発明の要件の範囲から外れたエアゾール剤は、即時の消臭効果、あるいは芳香の持続性のいずれかが劣り、従来製品と比べてメリットはなかった。
【００２４】
【発明の効果】
本発明の消臭、除菌、芳香エアゾール剤は、噴射による即時効果とともに、吸液蒸散体からの蒸散による持続効果を併せ持ち、その実用性は極めて高い。
【図面の簡単な説明】
【図１】  本発明の一実施例の側断面図である。
【図２】  本発明の別の実施例の側断面図である。
【図３】  その実施例で用いられるプラスチックカバーの平面図である。
【符号の説明】
１．エアゾール容器
２．ノズルステム
３．エアゾールボタン
４．キャップ
５．噴射ノズルへの連通路
６．噴射ノズル
７．噴射口
８．吸液蒸散体への分岐路
９．吸液蒸散体
１０．孔
１１．プラスチックカバー
１２．蒸散孔
【図１】
0004035380.tif 000003
【図２】
0004035380.tif 000004
【図３】
0004035380.tif 000005